(57)【要約】      （修正有）【課題】容易に学習の継続性・持続性を保つことができるようにするため、学習者と学習提供者間で双方向に情報交換可能な携帯情報端末を用いた学習システムを提供する。【解決手段】インターネットアクセスおよび電子コミュニケーション機能が利用可能な携帯情報端末を利用し、学習に有用な情報を記憶に確実に蓄積し、それを有効に利用することができるようにしたものである。すなわち、予め学習者等により登録された情報から最適な学習情報を選び出し、学習者の携帯情報端末へ自動的に定期配信を行う。また、学習者の携帯情報端末へ配信された電子メールには配信された情報を補助するＷｅｂサイトへのＵＲＬが含まれており、学習者はそのＵＲＬへアクセスすることにより詳細な学習情報を閲覧することが出来る。【選択図】図１
2005309344.tif 000002
【特許請求の範囲】
【請求項１】
インターネットアクセス及び電子コミュニケーション機能が使用可能な携帯情報端末を用いた学習システムにおいて、学習者の情報を登録する手段、学習者の学習レベルを選択する選択手段、学習情報配信時間を選択する選択手段と、を実現するユーザーインターフェイスと、予め学習レベル単位の文字情報を登録したデータベースと、上記文字情報の補助情報を登録したデータベースと、上記ユーザーインターフェイスによって登録された学習者単位の配信情報を登録する手段によって作られるデータベースと、を具備するインターネット上に存在するサーバと、上記文字情報を登録したデータベースへの学習者個々の学習レベルを検索する手段により導き出された結果により、配信情報を文字情報データベースから検索し補助情報のＵＲＬを作成する配信文字情報検索手段と、上記配信文字情報検索手段により抽出された配信情報を学習者の所有する携帯情報端末の電子メールアドレスへ上記サーバから配信する電子メール配信手段と、上記サーバから配信された電子メールに含まれる補助情報へのＵＲＬにアクセスすることで補助情報を検索する補助情報検索手段と、を具備し、学習者からＵＲＬへのアクセスがあった際に、補助情報を補助情報データベースから検索する検索手段と、上記補助情報の検索結果を携帯情報端末へアウトプットすることを特徴とした学習システム。
【請求項２】
上記携帯情報端末は、上記の学習情報電子メール配信手段により上記サーバから上記学習情報配信時間に配信される電子メールに含まれるＵＲＬにアクセスする手段により、上記サーバ及びデータベースから文字情報を検索し表示する文字情報検索表示することを特徴とする請求項１の携帯情報端末を用いた学習システム。
【請求項３】
学習者の情報を登録する手段、学習者の学習レベルを選択する選択手段、学習情報配信時間を選択する選択手段と、を実現するユーザーインターフェイスと、上記ユーザーインターフェイスによって登録された学習者単位の配信情報を登録する手段と、上記文字情報を登録したデータベースへの学習者個々の学習レベルを検索する手段により導き出された結果より、配信情報を文字情報データベースから検索し補助情報のＵＲＬを作成する配信文字情報検索手段と、上記配信文字情報検索手段により抽出された配信情報を学習者の所有する携帯情報端末の電子メールアドレスへ上記サーバから配信する電子メール配信手段と、学習者から上記電子メールに含まれるＵＲＬへのアクセスがあった際に、補助情報を補助情報データベースから検索する検索手段と、上記補助情報の検索結果を携帯情報端末へアウトプットする出力手段と、して機能させるためのプログラムが格納された記憶媒体。
【発明の詳細な説明】
【技術分野】
【０００１】  本発明は、携帯情報端末を用いた学習システムおよび携帯情報端末を用いた学習プログラムを記憶した記憶媒体に関し、特に、電子メールによる情報配信と学習内容の補助情報を簡易にアクセス可能なＷＥＢサイトで提供するようにした携帯情報端末を用いた学習システムおよび学習プログラムを記憶した記憶媒体に関する。
【背景技術】
【０００２】  従来の語学および一般的な学習において最も重要な事項は、有用な情報をいかにして知識として記憶に確実に蓄積し、それを有効に利用する訓練を行う、という継続性・持続性により実現されるものである。【０００３】  従来存在する学習方法には、たとえば以下のようなものが存在する。
１）学習塾に定期的に通う
２）参考書、教科書、または音声出力メディア（ＣＤ及びカセットテープ等）の教材を購入し、この教材による学習
３）ラジオやテレビなどのメディアを通した通信教育番組の定期的な視聴による学習
【発明の開示】
【発明が解決しようとする課題】
【０００４】  しかしながら、上記の学習方法によれば、学習者の意思に基づき学習者自ら行動を起こすことにより継続性・持続性を維持し、定期的に学習を行い有用な情報を記憶に確実に蓄積し、それを有効に利用することができるように訓練をしなければならない。学習者の意志に基づき学習者自ら行動を起こすということは、学習を行うまでに発生する多くの事象、たとえば学習塾に通う場合、学習塾まで行くという動作、学習塾で拘束されるという事象、決められたスケジュールで学習塾にいくという時間的束縛、などがあり、容易に継続性・持続性を保つことができない。【０００５】  そのため本発明は容易に学習の継続性・持続性を保つことができるようにするために、学習者、学習情報提供者間で双方向に情報交換可能な携帯情報端末を用いた学習システムを提供することを課題とする。
【課題を解決するための手段】
【０００６】  上記課題を解決するために請求項１に記載されている発明は、インターネットアクセスおよび電子コミュニケーション機能が利用可能な携帯情報端末を利用し、電子メール機能、インターネットアクセス機能により学習に有用な情報を記憶に確実に蓄積し、それを有効に利用することができるようにしたものである。【０００７】  すなわちこの第一発明は、インターネットアクセス及び電子コミュニケーション機能が使用可能な携帯情報端末を用いた学習システムにおいて、学習者の情報を登録する手段、学習者の学習レベルを選択する選択手段、学習情報配信時間を選択する選択手段と、を実現するユーザーインターフェイスと、予め学習レベル単位の文字情報を登録したデータベースと、上記文字情報の補助情報を登録したデータベースと、上記ユーザーインターフェイスによって登録された学習者単位の配信情報を登録する手段によって作られるデータベースと、を具備するインターネット上に存在するサーバと、上記文字情報を登録したデータベースへの学習者個々の学習レベルを検索する手段により導き出された結果より、配信情報を文字情報データベースから検索し補助情報のＵＲＬを作成する配信文字情報検索手段と、上記配信文字情報検索手段により抽出された配信情報を学習者の所有する携帯情報端末の電子メールアドレスへ上記サーバから配信する電子メール配信手段と、上記サーバから配信された電子メールに含まれる補助情報へのＵＲＬにアクセスすることで補助情報を検索する補助情報検索手段と、を具備し、学習者からＵＲＬへのアクセスがあった際に、補助情報を補助情報データベースから検索する検索手段と、上記補助情報の検索結果を携帯情報端末へアウトプットすることを特徴とする。【０００８】  また、第二発明は、携帯情報端末が、上記の学習情報電子メール配信手段により上記サーバから上記学習情報配信時間に配信される電子メールに含まれるＵＲＬにアクセスする手段により、上記サーバ及びデータベースから文字情報を検索し表示する文字情報検索表示することを特徴とする第一発明の携帯情報端末を用いた学習システムを特徴とする。【０００９】  第三発明は、上記第一発明および第二発明を実施するうえでの、学習者の情報を登録する手段、学習者の学習レベルを選択する選択手段、学習情報配信時間を選択する選択手段と、を実現するユーザーインターフェイスと、上記ユーザーインターフェイスによって登録された学習者単位の配信情報を登録する手段と、上記文字情報を登録したデータベースへの学習者個々の学習レベルを検索する手段により導き出された結果より、配信情報を文字情報データベースから検索し補助情報のＵＲＬを作成する配信文字情報検索手段と、上記配信文字情報検索手段により抽出された配信情報を学習者の所有する携帯情報端末の電子メールアドレスへ上記サーバから配信する電子メール配信手段と、学習者から上記電子メールに含まれるＵＲＬへのアクセスがあった際に、補助情報を補助情報データベースから検索する検索手段と、上記補助情報の検索結果を携帯情報端末へアウトプットする出力手段と、して機能させるためのプログラムが格納された記憶媒体、を特徴とする。
【発明の効果】
【００１０】  本発明は次のような効果を奏する。
第一発明、第二発明、第三発明によると、本発明は従来の学習方法とは異なり、予め学習者が登録していた諸情報により、配信文字情報検索手段によって作成された電子メールが、該学習者の携帯情報端末に学習者が登録した定期配信時間により配信され、配信された電子メールに含まれるＵＲＬからの簡易なアクセスに対して配信補助情報を携帯情報端末にアウトプットされること、をコンピュータを用いて実現することにより、常に身近に所持している携帯情報端末を利用し学習の継続性・持続性を保つことができる。
【発明を実施するための最良の形態】
【００１１】  以下、この発明に係わる携帯情報端末を用いた学習システムの実施の形態を添付図面を参照して詳細に説明する。【００１２】  この発明の一実施形態を、図１に示す。【００１３】  図１において、この実施の形態の学習システム１００は、インターネット網２０と、インターネット２０に接続可能なＷｅｂ／アプリケーションサーバ１３と、学習者の情報を登録する手段、学習者の学習レベルを選択する選択手段、学習情報配信時間を選択する選択手段と、を実現するＷｅｂ／アプリケーションサーバ１３によって生成され、インターネット上に存在するユーザーインターフェイス２３と、上記ユーザーインターフェイス２３によって登録された学習者単位の配信情報を登録する手段と、上記ユーザーインターフェイス２３によって登録された学習者単位の配信情報を登録する手段によって作られるデータベース１０（以下、学習者情報データベースという）と、予め学習レベル単位の文字情報を登録したデータベース１１（以下、学習情報データベースという）と、上記学習情報データベースに登録された文字情報の補助情報を登録したデータベース１２（以下、配信補助情報データベースという）と、配信補助情報データベースから検索された情報をＷｅｂ／アプリケーションサーバ１３によって作成されたＷｅｂサイト２２（以下、配信補助情報という）と、学習者がそれぞれ携帯するインターネットアクセスおよび電子コミュニケーション機能が利用可能な携帯情報端末２３−１〜２３−ａ、２０−１〜２０−ｂを具備して構成される。【００１４】  インターネット上のＷｅｂ／アプリケーションサーバ１３は、学習者の諸情報を登録する学習者情報データベース１０、学習内容を登録されている学習情報データベース１１、学習情報データベースの補助情報が登録されている配信補助情報データベース１２を具備している。【００１５】  ここで、上記学習者情報データベース１０、上記学習情報データベース１１、上記配信情報補助データベース１２で記憶管理される情報の具体例を英単語の学習を例にして示すと図２〜図４のようになる。【００１６】  すなわち、図２は図１に示した学習者情報データベース１０で記憶管理される情報の一例を示したもので、この学習者情報データベース１０には、
１）インデックス・・・学習者情報データベース内での連番
２）顧客コード・・・学習者を一意に判断可能な文字情報
３）顧客氏名・・・顧客コードによって識別される顧客の氏名
４）顧客メールアドレス・・・顧客コードによって識別される顧客のメールアドレス
５）登録日・・・当情報が登録された日
６）状態・・・学習者の状態
７）コースコード・・・学習者選択した配信情報コース
８）配信希望時間・・・学習者の選択した配信時間
９）配信レベル・・・学習者の到達した配信レベル
１０）学習履歴・・・学習者の学習履歴
等の情報が記憶管理される。【００１７】  また、「顧客コード」は携帯情報端末を所持する学習者（顧客）であり、顧客コードで一意に管理される。【００１８】  この学習者情報データベースで管理される情報のうち上記３）、４）、７）、８）は学習者が後述するユーザーインターフェイスを利用し、登録・変更可能な情報である。【００１９】  また、上記学習情報データベースで管理される情報のうち上記１）、２）、５）、９）は一定のルールに従い自動的に記録される情報である。【００２０】  また、上記６）、１０）においては学習者が学習した履歴を顧客コードごとに管理するものであり、後述するように随時更新される情報である。【００２１】  図３は、図１に示した学習情報データベース１１で記憶管理される学習情報の具体例を示すものである。【００２２】  図４は、図１に示した配信情報補助データベース１２で記憶管理される配信情報補助データの具体例を示すものである。【００２３】  すなわち、この学習システムにおいては、学習者が予めユーザーインターフェイス２３を用いて学習者情報データベース１０に登録された学習者の携帯情報端末で受信可能なメールアドレスに、学習者情報データベース１０に登録されたコースコード、配信レベルにより、学習情報データベース１１のコースコードを検索し抽出されたデータの中から、学習者情報データベース１０の学習履歴よりも大き最小のインデックスによって、配信情報補助データベース１２の学習情報検索キーを検索し、配信情報補助データを抽出する。上記学習情報データベース１１から抽出された文字データと、上記配信補助データをコースコード及び配信情報補助データベース１２のインデックス情報を含んだＵＲＬを電子メール情報として学習者の携帯情報端末宛に送信する。【００２４】  ここで、上記ＵＲＬはコースコード及び配信情報補助データベース１２のインデックス情報を含んでおり、その情報から、学習者が上記ＵＲＬにアクセスすると配信情報補助データベース１２へ検索を行い、検索結果を携帯情報端末にアウトプットする。【００２５】  また、上記電子メールに含まれる情報、上記ＵＲＬはＷｅｂ／アプリケーションサーバ１３で作成される。【００２６】  図５はＷｅｂ／アプリケーションサーバの構成を機能別に示したブロック図である。【００２７】  図５において、Ｗｅｂ／アプリケーションサーバ１３は、Ｗｅｂ／アプリケーションサーバ１３全体の制御を行う制御機能１３−４と、インターネット２０と接続を行いＷｅｂサーバ機能および電子メール配信機能を実現するＷｅｂ実行機能１３−３と、配信文字情報の作成および各種プログラム実行機能を実現するアプリケーション実行機能１３−２と、学習者情報データベース１０、学習情報データベース１１、配信補助情報データベース１２の構築および管理を行うデータベースマネージメントシステム１３を具備して構成される。【００２８】  ここで、Ｗｅｂ実行機能１３−３は、
１）図１に示したユーザーインターフェイス２３を実現
２）アプリケーション実行機能１３−２によって作成された図１に示した配信補助情報２２を実現
３）アプリケーション実行機能１３−２によって作成された文字情報およびＵＲＬ情報を含む電子メール情報の配信
等を行う。【００２９】  また、アプリケーション実行機能１３−２は、
１）データベースマネージメントシステム１３−１にアクセスを行い、データベースの操作を依頼する
２）プログラムの実行
３）Ｗｅｂ実行機能１３−３によって実現されたユーザーインターフェイス２３による入出力データの処理
等を行う【００３０】  また、データベースマネージメントシステム１３−１は、アプリケーション実行機能１３−２より受けたデータベース操作リクエストに対して学習者情報データベース１０、学習情報データベース１１、配信補助情報データベース１２に対して、データの検索、更新、追加、削除の処理等を行う。【００３１】  図６は、この実施の形態の学習システム１００を英単語の学習に使用した場合の全体動作を説明する動作図である。【００３２】  図６において学習者の携帯情報端末２３では以下の処理を行う。【００３３】  Ｄ）学習者情報、配信内容の登録・変更
この実施の形態の学習システム１００において、この学習システム１００の利用者はまず学習者の情報および配信内容の情報登録を行う。【００３４】  この情報登録は、学習者および学習情報配信依頼者の携帯情報端末等にて、所定の情報の入力を行うことにより行われる。【００３５】  ここで、所定の情報とは、インターネット２０上のＷｅｂ／アプリケーションサーバ１３に設けられたユーザーインターフェイス２３に含まれるユーザー登録配信情報変更Ｄによって学習者情報データベース１０に登録される情報で、学習者および学習情報配信依頼者が入力・選択する情報としては、例えば、
１）情報配信先メールアドレス
２）ニックネーム
３）配信希望時間
４）配信コース
等である。【００３６】  また、上記１）の情報配信先メールアドレスは申込者本人が所有する携帯情報端末のメールアドレスである必要はない。すなわち、学習情報を配信される学習者は、学習者以外からの申し込みによっても当学習システムを利用することが出来る。【００３７】  また、この学習者情報データベース１０に登録された登録情報の変更も、このユーザー登録配信情報変更Ｄから行うことが出来る。【００３８】  次に、上記登録を済ませたユーザーは当学習システムにおいて情報配信サービスを受けることが出来る。上記情報配信サービスを実行するにあたりＷｅｂ／アプリケーションサーバ１３は以下の処理を行う。【００３９】  Ｃ）コンテンツメール配信
この処理は、Ｗｅｂ／アプリケーションサーバの機能により一定の配信処理実行時間になったことを判断すると、後述するコンテンツ情報の取り出し・作成Ｂにより作成される配信情報およびＵＲＬを文字情報として電子メールを作成し、学習者情報データベース１０に登録されているサービス対象学習者へ電子メールを配信する。【００４０】  また、電子メールを配信した内容に関する情報は、学習者情報データベース１０に学習履歴として登録される。【００４１】  Ｅ）配信情報補助Ｗｅｂサイト
この処理は、上記Ｃによって配信された電子メールに配信情報の補助となるＵＲＬが含まれており、ユーザーが上記ＵＲＬをクリックおよび選択等を行うことにより、インターネット２０上のＷｅｂ／アプリケーションサーバ１３に設けられるユーザーインターフェイス２３に含まれる配信情報補助Ｗｅｂサイトを動的に作成し、携帯情報端末にアウトプットする。また、上記動的なＷｅｂサイトの作成においては、後述するコンテンツ情報の取り出し・作成ＢによるアクセスされたＵＲＬからのコンテンツ情報の取り出しの処理が含まれる。【００４２】  また、この処理は、学習者が配信された電子メールに記載されたＵＲＬにアクセスし動的にＷｅｂサイトを作成する以外に、静的な情報検索画面としての利用も可能である。【００４３】  Ｂ）コンテンツ情報の取り出し・作成
この処理は、上記コンテンツメール配信Ｃおよびユーザー登録・配信情報変更Ｄ、配信情報補助ＷｅｂサイトＥ等からのリクエストにより、後述するデータベース作成・更新・追加・削除Ａへデータベースへの処理を依頼し、その結果を各リクエストに合わせた結果に作成する。【００４４】  すなわち、コンテンツメール配信Ｃからのリクエストにおいてこの処理は、データベースの作成・更新・追加・削除Ａに対して、学習者情報データベース１０への学習者ごとの配信先メールアドレス、コースコード等の配信情報を検索し、検索結果に対応する学習情報を学習情報データベースより検索し、また、配信補助情報データベース１２から配信補助情報を検索し、その配信補助情報を検索可能なＵＲＬを作成し、それらを文字情報として統合し、コンテンツメール配信Ｃへ応答する。【００４５】  また、ユーザー登録・配信情報変更Ｄからのリクエストにおいてこの処理は、インターネット２０上に存在するＷｅｂ／アプリケーションサーバ１３が設けるユーザーインターフェイス２３内のユーザー登録・配信情報変更Ｄに入力された所定情報を受け、データベースの作成・更新・追加・削除Ａに対し登録・変更のリクエストを送り、データベースの作成・更新・追加・削除Ａよりリクエストの結果を受け、その結果により対応する情報を作成し、ユーザー登録・配信情報変更Ｄへ応答する。【００４６】  また、配信情報補助ＷｅｂサイトＥを動的に作成するためのＵＲＬリクエストが、学習者へ配信した電子メールのＵＲＬから行われた際に、リクエストされたＵＲＬ情報からコースコードおよびインデックス情報等を抜き出し、その抜き出した情報を元に、データベースの作成・更新・追加・削除Ａへ学習情報データベース１１および配信補助情報データベース１２への検索リクエストを送る。その検索リクエスト結果を受け取り、文字情報に統合し、インターネット２０上に存在するＷｅｂ／アプリケーションサーバ１３が設けるユーザーインターフェイス２３内の配信情報ＷｅｂサイトＥへ応答し、携帯情報端末へアウトプットする。【００４７】  Ａ）データベースの作成・更新・追加・削除
この処理は、上記コンテンツ情報の取り出し・作成Ｂからのリクエストを受け、学習者情報データベース１０、学習情報データベース１１、配信補助情報データベース１２へデータの更新、追加、削除、検索等の処理を総合的に行う。【００４８】  すなわちユーザー登録配信情報変更Ｄにおいて、学習者および学習依頼者が行う処理をフローであらわすと図７となる。図７において、各ステップを以下に説明する。【００４９】  学習者および学習依頼者は携帯情報端末により、Ｗｅｂ／アプリケーションサーバ１３が実現するユーザーインターフェイス内２３のユーザー登録配信情報変更Ｄが実現するＷｅｂサイトへアクセスを行う。（ステップ７０１）【００５０】  ユーザー登録配信情報変更Ｄが実現するＷｅｂサイトの入力フォームに所定の情報を入力する。（ステップ７１０）【００５１】  上記で入力された情報を学習者情報データベースへ登録する。（ステップ７２０）【００５２】  図８は、図６のコンテンツメール配信Ｃにおいての処理フローをあらわしたものである。各ステップの詳細を以下に説明する。【００５３】  Ｗｅｂ／アプリケーションサーバ１３により配信指定時間になったと判断された際、学習者情報データベース１１に当配信指定時間の情報を含む学習者を配信希望時間から検索し、抽出された情報を、例えば、対象者Ｕという情報に格納する。（ステップ８１０）【００５４】  対象者Ｕに格納された情報が０件より多ければ次の処理（ステップ８２５）に進み、０件以下であれば処理を終了させる。（ステップ８１５）【００５５】  対象Ｕから対象者情報を１件抽出し情報をＵ１に格納する。（ステップ８２０）【００５６】  Ｕ１に含まれるコースコードと配信レベルに該当する情報を、学習情報データベース１１から検索し、さらに抽出された情報から、Ｕ１に含まれる学習履歴より大きく最小の値の情報を抽出し、Ｒに格納する。（ステップ８２５）【００５７】  Ｒに含まれるインデックスキーから配信情報補助データベース１２の学習情報検索キーを検索し、情報を抽出しＲ２に格納する。（ステップ８３０）【００５８】  Ｒ２に含まれるインデックス情報、Ｕ１に含まれるコースコードから、学習者が簡易にアクセス可能なＵＲＬを作成しＲ３へ格納する。（ステップ８３５）【００５９】  Ｕ１、Ｒ、Ｒ２、Ｒ３等の情報を統合し、文字情報としてあらわした電子メールの文面を作成しＸへ格納する。（ステップ８４０）【００６０】  また、上記ステップ８４０の終了後、対象者Ｕに次の情報が格納されているのであれば、ステップ８２０から、再度処理を開始する。上記ステップ８４５終了後、対象者Ｕの情報が０件であれば、Ｘに格納された情報から各学習者ごとに登録されている電子メールアドレスに電子メールを配信する。（ステップ８４５）【００６１】  図９は、図６においての配信情報補助ＷｅｂサイトＥの処理フローをあらわしたものである。以下に図９の詳細を説明する。【００６２】  学習者が受信した、学習情報が含まれる電子メール内の補助情報への簡易なアクセスを可能にするＵＲＬを学習者がクリックし、上記ＵＲＬへのアクセスを行う。（ステップ９１０）【００６３】  Ｗｅｂ／アプリケーションサーバ１３がアクセスされたＵＲＬ情報に含���れるインデックスキー１の情報を抜き出す。（ステップ９１５）【００６４】  Ｗｅｂ／アプリケーションサーバ１３がアクセスされたＵＲＬ情報に含まれるコースコードＣＣ等の情報を抜き出す。（ステップ９２０）【００６５】  上記インデックスキーＩおよびコースコードＣＣ等の情報により、配信情報補助データベース１２へ検索を行い、抽出された情報を配信補助情報Ｗに格納する。（ステップ９２５）【００６６】  配信補助情報Ｗの結果を表示可能なＷｅｂサイトを動的に作成し、ステップ９１０で上記学習者がＵＲＬにアクセスを行うために使用した携帯情報端末にＷｅｂサイトとして情報の出力を行う。（ステップ９３０）【００６７】  また、上記ステップ９１０で作成されたＷｅｂサイトには学習者の携帯情報端末にＵＲＬ情報が含まれるメールが存在し、学習者の状態がサービス提供中であるならば常に閲覧可能である。そのため、例えば、電子メールにはある学習に関する問題のみを配信し、その電子メールに含まれるＵＲＬにて解答を提示するという学習方法も可能である。【００６８】  なお、上記実施の形態においてはわかりやすく単純な情報配信のみを適用した、学習システムの発明の利用例を示したが、例えば上記実施形態が英単語であれば、歴史の年号、数学の公式などの学習にも同様に適用できることは勿論である。
【発明の効果】
【００６９】  この発明は、インターネットアクセス及び電子コミュニケーション機能が使用可能な携帯情報端末を用いた学習システムにおいて、学習レベルおよび学習情報配信時間を学習者に選択させ、その洗濯され登録された内容に基づき、効率的な学習情報を学習者が所持する携帯情報端末にコンピュータを介し、自動的に配信させる。そのため、学習者は学習者が所持する携帯情報端末に強制的に学習情報が配信される。そのため、常に携帯している携帯情報端末に学習情報が蓄積され、場所や時間を問わず学習を行うことが可能である。
【００７０】  さらに、電子メールにて配信された学習情報には、その学習情報を補助する学習情報補助Ｗｅｂサイトへのアクセスを簡易に行えるＵＲＬが含まれており、学習者はそのＵＲＬにアクセスすることによりＷｅｂサイトからさらに有用な情報を入手することが出来る。
【００７１】  また、この発明によって学習を行う学習者は学習者自ら配信情報を登録するだけでなく、第三者による情報の登録による贈り物のとしての利用も可能である。
【００７２】  上記理由により、継続的に学習情報を受信することによる、持続性のある学習が可能になり、また、場所と時間を選ばないため、効率よく学習が行え、有用な知識を記憶に確実に蓄積することが出来る。
【図面の簡単な説明】
【００７３】
【図１】  この発明に係わる携帯情報端末を用いた学習システムの一実施形態を示すブロック図である。
【図２】  図１に示した学習者情報データベース１０で記憶管理される情報の一例を示す図である。
【図３】  図１に示した学習情報データベース１１で記憶管理される情報の一例を示す図である。
【図４】  図１に示した配信情報補助データベース１２で記憶管理される情報の一例を示す図である。
【図５】  図１に示した一実施形態で実現されるＷｅｂ／アプリケーションサーバ１３の構成を機能別に示したブロック図である。
【図６】  この実施形態の学習システム１００を英語の学習に使用した場合の全体動作を説明する動作図である。
【図７】  学習者および学習依頼者が情報の登録を行う処理フローである。
【図８】  この実施形態の学習システム１００においてコンテンツメールを配信するための処理フローをしめした図である。
【図９】  この実施形態の学習システム１００において配信補助情報を表示するための処理フローを示した図である。
【符号の説明】
【００７４】１０  学習者情報データベース
１１  学習情報データベース
１２  配信補助情報データベース
１３    Ｗｅｂ／アプリケーションサーバ
２０  インターネット
２２  配信補助情報
２３  ユーザーインターフェイス
２３−１〜２３−ａ、２０−１〜２０−ｂ、２３−ａ〜２３−ｃ  携帯情報端末
【図１】
2005309344.tif 000003
【図２】
2005309344.tif 000004
【図３】
2005309344.tif 000005
【図４】
2005309344.tif 000006
【図５】
2005309344.tif 000007
【図６】
2005309344.tif 000008
【図７】
2005309344.tif 000009
【図８】
2005309344.tif 000010
【図９】
2005309344.tif 000011